(57)【特許請求の範囲】
【請求項１】
記録テープが巻装された単一のリールを回転可能に収容する略矩形状のケースと、
前記ケースのドライブ装置への装填側角部を切り欠いて形成され、前記記録テープの端部に取り付けられたリーダー部材を引き出すための開口と、
前記ケースの内面に、互いに対向するガイド面が平行となるように設けられたガイド壁部と、
前記ガイド壁部間に挿入される凸部を有し、該ガイド壁部にガイドされてスライド移動して前記開口を開閉する遮蔽部材と、
前記凸部に突設され、前記ガイド面に接して該凸部と該ガイド面との摩擦を低減させる突起と、
を備えたことを特徴とする記録テープカートリッジ。
【請求項２】
前記遮蔽部材の前記凸部を含む開口閉塞部分以外の高さを、前記凸部を含む開口閉塞部分の高さよりも低く形成したことを特徴とする請求項１に記載の記録テープカートリッジ。
【請求項３】
記録テープが巻装された単一のリールを回転可能に収容する略矩形状のケースと、
前記ケースのドライブ装置への装填側角部を切り欠いて形成され、前記記録テープの端部に取り付けられたリーダー部材を引き出すための開口と、
スライド移動して前記開口を開閉する遮蔽部材と、
前記ケースの内面に、互いに対向するガイド面が平行となるように設けられ、前記遮蔽部材の移動をガイドするガイド壁部と、
を備え、
前記ガイド壁部の前記開口から露出する部分を含む前半部分の高さを、後半部分の高さよりも低く形成するとともに、前記遮蔽部材の開口閉塞部分以外の高さを、その開口閉塞部分の高さよりも低く形成したことを特徴とする記録テープカートリッジ。
【発明の詳細な説明】
【０００１】
【発明の属する技術分野】
本発明は、主にコンピューター等の記録再生媒体として使用される磁気テープ等の記録テープが巻装された単一のリールをケース内に収容してなる記録テープカートリッジに関する。
【０００２】
【従来の技術】
従来から、コンピューター等のデータ記録再生媒体として使用されている磁気テープを単一のリールに巻装し、そのリールをケース内に収容してなる磁気テープカートリッジが知られている。この磁気テープの先端には、リーダーピンやリーダーテープ、リーダーブロックといったリーダー部材が設けられており、そのリーダー部材をドライブ装置側に設けられた引出手段が磁気テープカートリッジの開口から引き出し、それに固着された磁気テープをドライブ装置側の巻取リールに巻装させるようになっている。
【０００３】
また、磁気テープカートリッジの下面に穿設された開孔から現出しているリールの下面中央にはリールギアが環状に刻設されており、ドライブ装置側の回転シャフトに設けられた駆動ギアがそのリールギアに噛合することにより、リールが回転駆動するように構成されている。したがって、磁気テープカートリッジのリール及びドライブ装置の巻取リールを同期して回転させることにより、磁気テープにデータを記録したり、磁気テープに記録されたデータの再生ができる。
【０００４】
このような磁気テープカートリッジは、保存時の収容スペースが小さくて済むとともに大容量の情報を記録でき、図１２乃至図１４で示すように、リーダー部材のタイプ毎に、開口位置及びその開口を開閉するドアのタイプが異なっている。すなわち、リーダーピン１１０の場合には、図１２で示すように、ドライブ装置への装填方向（矢印Ｐ方向）と平行なケース１１２の側壁１１４に開口１１８が形成されており、その装填方向と同方向にスライド移動するドア１１６によって、その開口１１８が開閉されるようになっている。
【０００５】
しかしながら、このようにケース１１２の側壁１１４に開口１１８が設けられていると、ドライブ装置側の引出手段は、ケース１１２の左右横方向から回り込んでリーダーピン１１０を引き出さなければならないため、その引出手段が回り込むスペースをドライブ装置側に確保しなければならず、かつ引出手段を回り込ませる機構が複雑になって、ドライブ装置が大型化してしまう不具合がある。しかも、磁気テープ１０８の引出経路が長くなるという問題もある。更に、ドア１１６はケース１１２の内面に設けられたガイド溝１１７にその上縁部及び下縁部が挿入された状態でスライド移動するので、そのガイド溝１１７部分のケース強度が脆弱になるという不具合もある。
【０００６】
また、リーダーテープ１２０の場合には、図１３で示すように、ドライブ装置への装填方向（矢印Ｐ方向）と直交するケース１２２の前壁１２４に開口１２８が形成され、この開口１２８を開閉するドア１２６はケース１２２の角部近傍に支持された支軸１２５を中心として前方に回動する回動式となっている。しかしながら、このようにケース１２２の前壁１２４に開口１２８が設けられていると、ドライブ装置側の引出手段が回り込む必要はなくなるが、ドア１２６が大きく前方に開くため、ドライブ装置側には、開口１２８を開放したときのドア１２６に干渉するものがないようにするスペースを確保しなければならず、ドライブ装置が大型化してしまう不具合がある。
【０００７】
更に、リーダーブロック１３０の場合には、図１４で示すように、ドライブ装置への装填方向前側の角部１３４を斜めに切り欠いて開口１３８が形成され、この開口１３８をリーダーブロック１３０によって直接開閉するようになっている。しかしながら、このようにリーダーブロック１３０が開口１３８を開閉するようになっていると、そのリーダーブロック１３０に傷や汚れが生じやすくなる問題がある。つまり、リーダーブロック１３０はドライブ装置側のリールハブ１３６に嵌合されてそのリールハブ１３６の一部を構成するため、通常ドアとして使用している分には問題のない傷や汚れでも、リールハブ１３６と嵌合し難くなったり、磁気テープ１０８の走行に不具合をもたらすおそれがある。
【０００８】
また、このリーダーブロック１３０は開口１３８縁部に係止されているだけなので、磁気テープカートリッジを落下させたりすると、簡単に外れてしまうという問題があり、かつリーダーブロック１３０はリーダーピン１１０と比較してサイズが大きいので、ケースの形状に制約が多くなるという問題もある。そのため、ドアを兼用するリーダーブロック１３０よりも、ドアと機能分離されたリーダーピン１１０の方が優位性はある。
【０００９】
【発明が解決しようとする課題】
そこで、本発明は、開口を開閉するドアと記録テープ引出用のリーダー部材とを別部材とし、記録テープの引出経路が最短になる開口と、少ないスペースでその開口を開閉できるスライド式のドアとを備えて、ドライブ装置の小型化が図れるようにするとともに、強度面での向上も図れるようにした記録テープカートリッジを得ることを目的とするものである。
【００１０】
【課題を解決するための手段】
上記の目的を達成するために、本発明に係る請求項１に記載の記録テープカートリッジは、記録テープが巻装された単一のリールを回転可能に収容する略矩形状のケースと、前記ケースのドライブ装置への装填側角部を切り欠いて形成され、前記記録テープの端部に取り付けられたリーダー部材を引き出すための開口と、前記ケースの内面に、互いに対向するガイド面が平行となるように設けられたガイド壁部と、前記ガイド壁部間に挿入される凸部を有し、該ガイド壁部にガイドされてスライド移動して前記開口を開閉する遮蔽部材と、前記凸部に突設され、前記ガイド面に接して該凸部と該ガイド面との摩擦を低減させる突起と、を備えたことを特徴としている。
【００１１】
そして、請求項２に記載の記録テープカートリッジは、請求項１に記載の記録テープカートリッジにおいて、前記遮蔽部材の前記凸部を含む開口閉塞部分以外の高さを、前記凸部を含む開口閉塞部分の高さよりも低く形成したことを特徴としている。
【００１２】
また、請求項３に記載の記録テープカートリッジは、記録テープが巻装された単一のリールを回転可能に収容する略矩形状のケースと、前記ケースのドライブ装置への装填側角部を切り欠いて形成され、前記記録テープの端部に取り付けられたリーダー部材を引き出すための開口と、スライド移動して前記開口を開閉する遮蔽部材と、前記ケースの内面に、互いに対向するガイド面が平行となるように設けられ、前記遮蔽部材の移動をガイドするガイド壁部と、を備え、前記ガイド壁部の前記開口から露出する部分を含む前半部分の高さを、後半部分の高さよりも低く形成するとともに、前記遮蔽部材の開口閉塞部分以外の高さを、その開口閉塞部分の高さよりも低く形成したことを特徴としている。
【００１３】
請求項１〜請求項３に記載の発明では、ケースのドライブ装置への装填側角部が切り欠かれて開口が設けられている。これにより、その開口の開放面はドライブ装置への装填方向を向くことが可能になるので、ドライブ装置側の引出手段はその前方側から進入することが可能となり、記録テープを引き出す経路を最短にできる。したがって、ドライブ装置には記録テープを回り道させるような複雑な機構が不要となり、コンパクトで製造コストの安価なドライブ装置を設計することができる。しかも、最短経路を通ることにより、テープガイドとの接触による記録テープの摩耗も低減することができる。また、遮蔽部材は、ケース内面に、互いに対向するガイド面が平行となるように設けられたガイド壁部にガイドされてスライド移動するので、従来のようにケース内面に溝等を設ける必要がなく、よってケース強度を充分に確保することができる。
【００１４】
そして、請求項１に記載の発明では、遮蔽部材の凸部に、ガイド壁部のガイド面に接して、凸部とガイド面との摩擦を低減させる突起が突設されているので、遮蔽部材は好適に摺動して開口を開閉することができる。
【００１５】
また、請求項２に記載の発明では、遮蔽部材の凸部を含む開口閉塞部分以外の高さを、凸部を含む開口閉塞部分の高さよりも低く形成したので、突起とガイド面との接触面積をその分低減させることができる。したがって、両者の摺動抵抗（摩擦）をより一層低減することができる。
【００１６】
更に、請求項３に記載の発明では、ガイド壁部の開口から露出する部分を含む前半部分の高さを、後半部分の高さよりも低く形成したので、開口に、リーダー部材をチャックして引き出すドライブ装置側の引出手段が入り込めるスペースを確保することができる。そして、遮蔽部材の開口閉塞部分以外の高さを、その開口閉塞部分の高さよりも低く形成したので、遮蔽部材とガイド壁部との接触面積をその分低減させることができる。したがって、両者の摺動抵抗（摩擦）を低減することができる。
【００１７】
【発明の実施の形態】
以下、本発明の実施の形態に係る記録テープカートリッジ１０を図１乃至図１１に基づいて説明する。まず、最初に、記録テープカートリッジ１０の全体構成を簡単に説明し、次いで本発明に係る要部について詳細に説明する。なお、説明の便宜上、記録テープカートリッジ１０のドライブ装置への装填方向を矢印Ａで示し、それを記録テープカートリッジ１０の前方向（前側）とする。そして、矢印Ａと直交する矢印Ｂ方向を右方向とする。
【００１８】
（記録テープカートリッジの全体構成）
図１には記録テープカートリッジ１０の全体構成が斜視図にて示されており、図２には記録テープカートリッジ１０の概略分解斜視図が示されている。これらの図で示すように、記録テープカートリッジ１０は、平面視で略矩形状のケース１２内に、情報記録再生媒体である記録テープとしての磁気テープＴを巻装した単一のリール１４を回転可能に収容して構成されている。
【００１９】
ケース１２は、ドライブ装置への装填方向先頭側の１つの角部である右前角部がそれぞれ切り欠かれた一対の上ケース１６と下ケース１８とを互いの周壁１６Ａ、１８Ａを突き合せて接合することで構成されており、内部に磁気テープＴを巻装したリール１４の収容空間が設けられている。そして、上ケース１６及び下ケース１８の周壁１６Ａ、１８Ａが切り取られた角部が磁気テープＴの引き出し用の開口２０とされている。
【００２０】
この開口２０から引き出される磁気テープＴの自由端には、ドライブ装置の引出手段によって係止（係合）されつつ引き出し操作されるリーダーピン２２が接続されている。リーダーピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００２１】
また、ケース１２の開口２０の内側には、ケース１２内においてリーダーピン２２を位置決め、保持する上下一対のピン台２４が設けられている。ピン台２４は、図３乃至図６で示すように、略半円筒形状をしており、その凹部２４Ａに直立した状態のリーダーピン２２の両端部が保持される。そして、ピン台２４の外周壁の磁気テープＴ引き出し側は開放しており、リーダーピン２２が出入する出入口となっている。
【００２２】
ピン台２４の近傍には、板ばね２５が、前壁１２Ａ（周壁１６Ａ、１８Ａのうち、外面が矢印Ａ方向を向く部分）の内面に設けられたばね保持部２７に、その基部が挿入されて固定配置されるようになっており、この板ばね２５がリーダーピン２２の上下端部に係合してリーダーピン２２をピン台２４に保持するようになっている（図６参照）。なお、リーダーピン２２がピン台２４に出入する際には、板ばね２５は適宜弾性変形してリーダーピン２２の移動を許容する構成である。
【００２３】
更に、下ケース１８の中央部には、リール１４の図示しないリールギアを外部に露出するためのギア開口２６が設けられており、リール１４はリールギアがドライブ装置の駆動ギアに噛合されてケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８によってガタつかないように保持されている。
【００２４】
この遊動規制壁２８の開口２０近傍の端部には、内部に位置規制用孔が形成された袋部２８Ａが連設されている。また、ケース１２の左前角部の内側においては、長孔である位置規制用孔が形成された袋部２８Ｂが遊動規制壁２８に連設されている。袋部２８Ａ、２８Ｂは、矢印Ｂ方向に沿った一直線上に配置されている。そして、袋部２８Ａが連設された端部を除いて、各遊動規制壁２８は、それぞれ端部がケース１２の周壁１６Ａ又は周壁１８Ａと連設されることで、その外側とリール１４の設置空間とを仕切っている。
【００２５】
また、下ケース１８の右後部には、各記録テープカートリッジ１０毎に、その各種情報を記憶されたメモリーボードＭが設置されるようになっており、下面側から読み取るドライブ装置と、後壁側から読み取るライブラリー装置での検知が可能となるように、後部内壁１８Ｂが所定角度の傾斜面に形成され、メモリーボードＭが所定角度傾斜配置されるようになっている。また、下ケース１８の左後部には、その記録テープカートリッジ１０への記録可・不可が設定される図示しないライトプロテクトが設けられるようになっている。
【００２６】
（開口及び開口近傍のケースの構成）
上記の通り、開口２０は、右前角部が切り欠かれて形成されることで、その開放面が矢印Ａ方向及び矢印Ｂ方向に向くため、ドライブ装置の引出手段が、矢印Ａ方向、矢印Ｂ方向、あるいは矢印Ａ方向と矢印Ｂ方向との間からアクセスしてリーダーピン２２をチャックできる。これにより、リーダーピン２２を保持するピン台２４を設置可能なエリアが広がり、ドライブ装置の引出手段がリーダーピン２２をチャック可能な領域が広くなるため、矢印Ａ方向又は矢印Ｂ方向からチャックするドライブ装置の仕様に合わせてピン台２４の設置位置を設定できる。このため、ドライブ装置の設計の自由度も広がる。
【００２７】
また、ケース１２の前壁１２Ａの右端部には、開口２０の前縁部を規定する上下一対の短い傾斜壁部３０が設けられている。傾斜壁部３０は、開口２０の開放面に沿って屈曲されるとともに、前壁１２Ａよりも壁厚が厚肉化されている。そして、この傾斜壁部３０の厚み方向の中央部には、後述するドア５０の先端が入り込む凹部３０Ａが形成されている。また、傾斜壁部３０の左方近傍の前壁１２Ａ内側には、上下一対のビスボス３２が連設されている。
【００２８】
一方、ケース１２の右壁１２Ｂ（周壁１６Ａ、１８Ａのうち、外面が矢印Ｂ方向を向く部分）の前端部内側には、平面視で、後述するドア５０の外周面に略沿った形状の上下一対の傾斜壁部３４が設けられている。この傾斜壁部３４の前端面が開口２０の後縁を規定しており、その前端部には上下一対のビスボス３６が設けられている。そして、この傾斜壁部３４の内面が、ドア５０が摺動する際のドア５０のガタつき防止用として機能するようになっている。
【００２９】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を切り欠いて形成され、開口２０側へも開放されている。したがって、上ケース１６におけるビスボス３６の外面は、そのスリット４０から露出するようになっている（図１参照）。
【００３０】
また、このスリット４０は、その上端が単にケース１２の天板（上ケース１６の天板）にて規定されてもよいが、周壁１６Ａの一部を上側に残すことにより、ケース１２の剛性を維持させることができるので、落下等における強度上好ましい。特に、スリット４０を規定する上側の壁が傾斜壁部３４から一体に連設されていると、一層好ましい。
【００３１】
また、スリット４０の後端を規定する周壁１６Ａには、ケース１２の内方に突出した凸部４４が設けられており、ケース１２内への塵埃侵入防止用及びドア５０のガタつき防止用とされている。そして、下ケース１８において、その凸部４４よりも後方側には、周壁１８Ａの上端を除く部分が断面視略「コ」字状にケース１２の内方へ凹むとともに、ケース１２の下面から上方へも凹んだ（底板が切り欠かれた）凹部４８が形成されている（図４参照）。
【００３２】
この凹部４８は、ケース１２の左壁にも形成され、例えばドライブ装置の引き込み手段が係合する係合部とされたり、その底面（下向きの面）がドライブ装置内での位置決め用の基準面とされたりするようになっている。また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置の把持手段が係合する係合部とされている。
【００３３】
また、このような凹部４６、４８を設けることでケース１２（下ケース１８）の捩り強度が向上される。そして、凹部４８を規定する右壁１２Ｂ（周壁１８Ａ）の内側部分は、ドア５０の外面に対応して湾曲され、開口２０開閉時に摺動するドア５０のガタつき防止用のガイド面４８Ａとされている。なお、上ケース１６の左壁の凹部４８と対応する部分にも、凹部４７が形成されているが、この凹部４７は、開口２０の開放時、ドア５０の開放方向への移動に伴う回転モーメントをキャンセルするための保持部材が係合する係合部とされている。
【００３４】
また、上ケース１６及び下ケース１８において、開口２０近傍から遊動規制壁２８が最も右壁１２Ｂに接近する部位近傍まで（以下、前半という）と、スリット４０の後端を規定する凸部４４あるいは凹部４８から後壁の近傍まで（以下、後半という）、後述するドア５０の凸部５１を内面側及び外面側の両側方から挟み込むように支持する所定高さ（例えば、１．０ｍｍ〜１．５ｍｍ程度）のガイド壁部４２が立設されている。
【００３５】
このガイド壁部４２は、前半の外側後端部が右壁１２Ｂの内面に、内側後端部が遊動規制壁２８の外面にそれぞれ一体的に連設され、後半の外側前端部が凸部４４あるいは凹部４８の内面に、内側前端部が遊動規制壁２８の外面にそれぞれ一体的に連設されている。そして、上ケース１６と下ケース１８とではその長さが異なっており、上ケース１６側の方が下ケース１８側よりも後半側が長く形成されている。
【００３６】
これは、下ケース１８の後部内壁１８Ｂが所定角度の傾斜面になっており、その右壁１２Ｂ側にメモリーボードＭを配設しているからである。なお、後半のガイド壁部４２は、その後端部が平面視略円弧状に閉塞されており、ドア５０がそれ以上後方へ移動できないように、上下それぞれ最も後側の凸部５１を規制するようになっている。
【００３７】
一方、前半のガイド壁部４２は、その前端部がリーダーピン２２の出入時に、そのリーダーピン２２の出入を妨げないような位置（この図示のものはピン台２４よりも後方側で、開口２０の開口幅の約半分程度）まで延設されるとともに、上記と同様に閉塞されており、ドア５０がそれ以上前方へ移動できないように、上下それぞれ最も前側の凸部５１を規制するようになっている。そして、この状態で、ドア５０の先端が傾斜壁部３０の凹部３０Ａに入り込むように各部の寸法が決められている。
【００３８】
また、前半のガイド壁部４２は後半のガイド壁部４２よりも若干低くなるように形成されている。すなわち、例えば前半のガイド壁部４２の高さは約１ｍｍに形成され、後半のガイド壁部４２の高さは約１．５ｍｍに形成されている。これは、開口２０に、リーダーピン２２をチャックして引き出すドライブ装置側の引出手段が入り込めるスペースを確保するためである。したがって、後述するように、ガイド壁部４２が低くなっている分、その前半部分（少なくとも開口２０を閉塞する部分）におけるドア５０の板幅（高さ）が大きく（高く）なるように形成されている。
【００３９】
更に、上ケース１６内面及び下ケース１８内面には、その開口２０から露出している外側のガイド壁部４２と一体になって平面視略台形状をなすリブ３８が、そのガイド壁部４２と同等の高さになるように立設されており、このリブ３８によって開口２０部分における上ケース１６及び下ケース１８の強度が確保されるようになっている。なお、内側のガイド壁部４２はピン台２４と一体になるように連設されているが、ピン台２４の高さは、一体に連設されたガイド壁部４２の高さと略同等か、それよりも高く形成されていることが望ましい。
【００４０】
以上、説明した上ケース１６と下ケース１８とは、開口２０の縁部の近傍に位置する各ビスボス３２、３６に下側から図示しないビスがねじ込まれて、固定（接合）される構成である。これによって、傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落しても、記録テープカートリッジ１０全体の重量で、変形したり座屈して位置ズレしない構成である。
【００４１】
なお、ビスのネジ山径は一例として、φ２．０ｍｍで、ビスボス３２及びビスボス３６の外径をφ４．０ｍｍとしている。また、ビス止めに代えて、ビスボス３２、３６に相当する位置に上ケース１６から突起を突設するとともに、下ケース１８にその突起と嵌合する嵌合孔を設け、突起と嵌合孔とを互いに嵌合させてもよいが、この場合、嵌合部位の半径３０ｍｍ以内の箇所において上ケース１６と下ケース１８とをビス止めすることが望ましい。更に、周壁１６Ａ、１８Ａの付き合せ面（開口２０両側のコーナー部）は溶着固定してもよいが、分解性やリサイクル性を考慮すると、ビス止めの方が望ましい。
【００４２】
また、ピン台２４が設置されるエリアは、板厚が上ケース１６及び下ケース１８とも２ｍｍとされて比較的厚肉となっており、ケース１２（上ケース１６及び下ケース１８）はポリカーボネート素材（ＰＣ）で形成されている。これは、記録テープカートリッジ１０の機能上で最も重要な（記録テープを引き出す際に引出手段に正しく係止されるべき）リーダーピン２２の保持（位置決め）位置であるピン台２４付近の強度を上げ、ケース１２（記録テープカートリッジ１０）の落下等による衝撃でリーダーピン２２の位置ズレが生じないようにするためである。なお、ケース１２はポリカーボネート素材（ＰＣ）に代えてアクリロニトリルブタジエートスチレン（ＡＢＳ）や金属材とすることもできる。
【００４３】
また、ピン台２４の設置位置は、その保持するリーダーピン２２の軸心が開口２０の前後の縁部を結ぶ第１の仮想直線上又は第１の仮想直線よりもケース１２内側に位置するように決められており、より好ましくは２つのビスボス３２、３６の軸心を結ぶ第２の仮想直線上又は第２の仮想直線よりもケース１２内側に位置するように決められている。そして更に、本実施の形態におけるピン台２４は、図６で示すように、ビスボス３６よりもビスボス３２に近接した位置に配置されている。これにより、ケース１２の落下等に伴う天板及び底板の振動によるリーダーピン２２の位置ズレがより一層防止される構成である。
【００４４】
一方、平面視において、開口２０の開放面の矢印Ａ方向に対する傾斜角（開口２０の上下を規定するケース１２の天板及び底板の傾斜角）は、ライブラリー装置における記録テープカートリッジ１０の識別（認識）の要求に応じて決められている。すなわち、ライブラリー装置は、複数の記録テープカートリッジ１０を収容して記録テープカートリッジ１０を自動的に（人手を介在させないで）ドライブ装置に着脱するものであるが、その取り扱う記録テープカートリッジ１０及びドライブ装置が複数種となる場合、記録テープカートリッジ１０の世代や記録容量等を認識する必要があり、この認識に開口２０の開放面の傾斜角を利用することができる。
【００４５】
これにより、強度上の配慮がなされた磁気テープＴ引き出し用の開口２０が、その開放面の傾斜角（具体的には、開口２０の上下を規定する天板又は底板の傾斜角）によってライブラリー装置での認識部を兼ねるため、開口２０と認識部とを別個に設けた場合（例えば、認識部としてケース１２に１つ又は複数の貫通孔を設けた場合）に懸念されるケース１２の強度不足や防塵性の低下、及び金型構造の複雑化を防止できる。なお、ケース１２は、上ケース１６の周壁１６Ａと下ケース１８の周壁１８Ａとが同等の高さとされているので、互いの突き合せ部の加工精度（金型による樹脂成形の精度）が同程度であり、組立性や耐落下衝撃性が良好になっている。
【００４６】
（ドアの構成）
以上、説明した開口２０は、遮蔽部材としてのドア５０によって開閉されるようになっている。ドア５０は図５乃至図１１で示すように、前半のガイド壁部４２を摺動する部分（少なくとも開口２０を閉塞する部分）の板幅（高さ）Ｗが開口２０の開口高さと略同一に形成され、それより後側（境界部分Ｓより後側）の板幅（高さ）が若干（α＝約１ｍｍ程度）小さく（低く）形成されるとともに、その板長が開口２０の開口幅よりも充分大きく形成されている（図７参照）。そして、所定の円周に沿って移動できるように、板厚方向に湾曲した平面視略円弧状に形成されている（図８参照）。
【００４７】
このドア５０は、その先端部が傾斜壁部３０の凹部３０Ａに入り込んだ状態で開口２０を閉塞し（図１１（Ａ）参照）、上記した所定の円周に沿って略後方へスライド移動（回動）して開口２０を開放し（図１１（Ｂ）参照）、その先端近傍の外周面がビスボス３６近傍に達すると、開口２０を完全に開放する（図１１（Ｃ）参照）構成になっている。また、ドア５０は、開口２０を開放する際と反対方向にスライド移動（回動）して開口２０を閉塞するようになっている。
【００４８】
このように、ドア５０は、その移動軌跡である所定の円周に対応した円弧状に湾曲形成されており、その回動中心は、本実施の形態では、左右方向の位置がケース１２の左端近傍に、前後方向の位置がスリット４０の後端近傍に設定されている。これにより、ドア５０の移動軌跡は、スリット４０の後端近傍において、ケース１２の右壁１２Ｂに最も近接する。なお、ドア５０の回転中心及び半径は、ドライブ装置からの要求により決まる開口２０前後の縁部（傾斜壁部３０及びビスボス３６）の位置やライブラリー装置からの要求により決まる開口２０の開放面の角度等に応じて適宜決められればよい。
【００４９】
また、ドア５０の湾曲した長手寸法は、その後端部が開口２０の閉塞状態において、ケース１２の凹部４８よりも後方の（凹部４６近傍の）右後角部内に位置するように決められている（図１１参照）。したがって、ドア５０は、開口２０を開閉する全過程で、ケース１２の傾斜壁部３４、凸部４４、案内面４８Ａにガタつきを抑止されながら摺動するようになっている。なお、ドア５０の後下部は、下ケース１８の後部内壁１８Ｂの傾斜面に配設されたメモリーボードＭを回避するために、斜めに切り欠かれている。
【００５０】
また、そのドア５０の上面及び下面には、ガイド壁部４２のガイド面（互いに対向している内側の面）と、ガイド壁部４２間の上ケース１６内面及び下ケース１８内面にそれぞれ当接して、ドア５０を開口２０の開閉方向に案内する凸部５１が突設されている。この凸部５１は、ガイド壁部４２のガイド面並びにガイド壁部４２間の上ケース１６内面及び下ケース１８内面と、ドア５０との摺動抵抗（摩擦）を低減するためのものであり、図７乃至図１０で示すように、ドア５０の長手方向に沿って長い平面視略楕円形状に形成され、上面及び下面にそれぞれ４つずつ、最も後側の凸部５１を除いて上下対称に突設されている。この最も後側の凸部５１が上下対称でないのは、ドア５０の後下部が斜めに切り欠かれていることによる。
【００５１】
そして、その凸部５１の高さは、図７で示すように、ガイド壁部４２の高さと略同等の高さ（例えば、ドア５０の板幅が異なる境界部分Ｓより前側の凸部５１の高さＨ１は、ドア５０の上面・下面からそれぞれ約０．５ｍｍ、後側の凸部５１の高さＨ２、Ｈ３、Ｈ４は、ドア５０の板幅が上・下約１．０ｍｍずつ低いため、その部分におけるドア５０の上面・下面からそれぞれ約１．５ｍｍ）になるように形成され、より好ましくは、開口２０から遠ざかるに従って徐々に低くなるように（少なくとも開口２０を閉塞する部分に突設された最前の凸部５１の高さＨ１より、それ以外の部分に突設された凸部５１の高さＨ２、Ｈ３、Ｈ４が、板幅の違い分であるα＝約１．０ｍｍを引いた上で低くなるように）形成されている。
【００５２】
すなわち、例えば最前の凸部５１の高さ（ドア５０の上面・下面からの高さ）Ｈ１が、それぞれＨ１＝０．５ｍｍであれば、前から２番目の凸部５１の高さＨ２は、その部分におけるドア５０の板幅が、前側の板幅Ｗより上・下約１．０ｍｍずつ低いため、その分を含めて、それぞれＨ２＝１．４ｍｍ（Ｈ１に比べて０．１ｍｍ低い高さ）に形成され、前から３番目の凸部５１の高さＨ３も同様に、その部分におけるドア５０の板幅が、前側の板幅Ｗより上・下約１．０ｍｍずつ低いため、その分を含めて、それぞれＨ３＝１．３ｍｍ（Ｈ１に比べて０．２ｍｍ低い高さ）に形成され、最後の凸部５１の高さＨ４も、その部分におけるドア５０の板幅が、前側の板幅Ｗより上・下約１．０ｍｍ低いため、その分を含めて、それぞれＨ４＝１．２５ｍｍ（Ｈ１に比べて０．２５ｍｍ低い高さ）に形成されるのが好ましい。
【００５３】
このように、最前の凸部５１の高さが、ガイド壁部４２の高さと略同等の高さに形成されていると、開口２０の閉塞時、ガイド壁部４２からドア５０が外れるのを防止できるとともに、ガイド壁部４２とドア５０とのガタつきを抑止することができる。そして、ガイド壁部４２との係合を最前の（開口２０を閉塞する部分に突設された）凸部５１に比べて、それ程必要としない後側の凸部５１の高さを低く形成したことにより、ガイド壁部４２のガイド面との接触面積をその分低減させることができるので、より一層摺動抵抗（摩擦）を低減させることができる。
【００５４】
なお、上記したように、凸部５１の高さは後側に向かうに従って徐々に低く形成されるのが好ましいが、少なくとも最前の凸部５１の高さより、後側の凸部５１の高さが低く形成されていればよいため、例えばＨ１＝０．５ｍｍであれば、ドア５０の板幅の違い分であるα＝約１．０ｍｍを含めて、Ｈ２＝１．３ｍｍ（Ｈ１より０．２ｍｍ低い高さ）、Ｈ３＝Ｈ４＝１．２５ｍｍ（Ｈ１より共に０．２５ｍｍ低い高さ）などとしてもよい。
【００５５】
また、この凸部５１は、図９、図１０で示すように、その上面及び下面が、断面視（側面視）で幅広（図１０（Ａ）参照）あるいは幅狭（図１０（Ｂ）参照）な略円弧状になるように形成され、更に、その両側面には平面視略円弧状あるいは平面視略三角形状等の突起５１Ａが上下方向に突設されている。したがって、凸部５１がガイド壁部４２間に挿入されて摺動する際には、その凸部５１の略円弧状の先端だけが上ケース１６内面及び下ケース１８内面に接するので線接触となり、かつ、ガイド壁部４２の互いに対向しているガイド面に対しては、突起５１Ａの略円弧状等の先端だけが接するので、同様に線接触となる。
【００５６】
これにより、上下の凸部５１と、ガイド壁部４２間の上ケース１６内面及び下ケース１８内面並びにガイド壁部４２のガイド面との摺動抵抗（摩擦）を低減することができ、ドア５０を抵抗少なく、スムーズに摺動させることが可能となる。なお、このような摩擦低減手段は、図示のものに限定されるものではなく、ドア５０とガイド壁部４２等との接触を面接触ではなく、線接触あるいは点接触にするものであれば、例えば凸部５１の両側面に略半球状の突起等を形成するなど、任意の手段を採用して構わない。また、凸部５１が平面視略楕円形状に形成されていると、例えば平面視略円形状に形成されているものよりも耐衝撃性に優れる。したがって、落下等の衝撃により、ドア５０に開閉方向以外から力が加えられても、その凸部５１が折れるような心配はない。
【００５７】
また、ドア５０の長手方向中央部よりも若干前方（ドア５０の板幅が異なる境界部分近傍）における外周面には、操作部としての操作突起５２がドア５０の径方向に沿って突設されている。操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。
【００５８】
一方、開口２０の開放状態では、操作突起５２は、スリット４０の後縁の凸部４４から僅かに離間して位置するようになっている。なお、このとき、ガイド壁部４２の後端部に最後端側の凸部５１が当接しており、この状態で、操作突起５２の長手方向がケース１２の右壁１２Ｂ（矢印Ａ方向）と略直交するようにも各部の寸法が決められている。
【００５９】
そして、この操作突起５２露出用のスリット４０によってケース１２の内外が連通されるが、このスリット４０はビスボス３６と、ケース１２内の略全高に亘るドア５０と、ドア５０を案内する凸部４４とによって常時ほぼ閉塞され、かつ、内壁としての遊動規制壁２８によって、リール１４に巻装された磁気テープＴへの塵埃等の付着が防止されるようになっている。
【００６０】
また、ドア５０の後端近傍の内周部には、ばね保持部５４が突設されている。このばね保持部５４には、コイルばね５６の一端部が係止保持されており、その他端部がケース１２内の凹部４８近傍に設けられたばね係止部５５に係止されている。これにより、ドア５０は、コイルばね５６の付勢力Ｆ（図５参照）によって開口２０の閉塞方向に常時付勢され、通常開口２０を閉塞する構成である。なお、図示のばね保持部５４は、側面視で、ドア５０の略中心線上に配設されているが、ばね保持部５４は、操作突起５２と略同一直線上に配設されることが望ましい。
【００６１】
また、このような付勢手段としてのコイルばね５６は、ドア５０が開口２０の閉塞状態でケース１２の右後角部に至る長さであるため、右後角部における遊動規制壁２８と右壁１２Ｂ（周壁１６Ａ、１８Ａ）との間の空間を有効利用して配設することができる。また、ドア５０の前端部内面には、開口２０閉塞時において、リーダーピン２２の上端部側面及び下端部側面に当接するストッパー５８が突設されており、落下衝撃等によってリーダーピン２２がピン台２４から脱落するのを、より一層防止できるようになっている（図６参照）。
【００６２】
また、凹部３０Ａに入り込むドア５０の前端部内面及び／又は外面は、スムーズに入り込めるようにテーパー面に形成されることが好ましく、図示のドア５０は外面側にテーパー面５０Ａが形成されている。なお、ドア５０は、ポリカーボネート素材（ＰＣ）より成るケース１２に対して、耐摩耗性に優れるとともに低摩擦係数である、例えばポリオキシメチレン（ＰＯＭ）樹脂によって成形されているが、操作突起５２やばね保持部５４は別体（別材料）にて構成してもよい。
【００６３】
次に、本実施の形態の作用について説明する。上記構成の記録テープカートリッジ１０では、非使用時（保管時や運搬時等）には、開口２０がドア５０によって閉塞されている。具体的には、ドア５０は、コイルばね５６の付勢力によって、その先端部（前端部）が傾斜壁部３０の凹部３０Ａに入り込むとともに、中間部外周面が傾斜壁部３４の内面に略接して開口２０を閉塞している。
【００６４】
一方、磁気テープＴを使用する際には、記録テープカートリッジ１０を矢印Ａ方向に沿ってドライブ装置へ装填する。この装填に伴って、図１１（Ａ）に示されるように、ドライブ装置の開閉手段を構成する開閉部材としての係合突起６０が、前方へ開放しているスリット４０に進入し、ドア５０の操作突起５２に係合する。この状態で、記録テープカートリッジ１０（ケース１２）を更に押し込むと、図１１（Ｂ）に示されるように、この押し込み力によってコイルばね５６の付勢力に抗しつつ、係合突起６０が操作突起５２を後方へ移動させる（矢印Ａ方向へ装填されるケース１２に対して後方へ相対移動させる）。
【００６５】
すると、その操作突起５２が突設されているドア５０は、凸部５１がガイド壁部４２によって案内され、かつ、その外周面が傾斜壁部３４、凸部４４、案内面４８Ａによって規制されつつ、その湾曲方向に沿って平面視時計方向に回動する。すなわち、ドア５０は、ガイド壁部４２によって、その湾曲形状に沿った移動軌跡からはみ出すことなく、ピン台２４及びリール１４の外側を回り込むように略後方へ移動し、開口２０を開放する。そして、ケース１２（記録テープカートリッジ１０）がドライブ装置に所定深さ装填されると、図１１（Ｃ）に示されるように、開口２０が完全に開放される。
【００６６】
この状態で記録テープカートリッジ１０がドライブ装置内で位置決めされると、ドア５０はそれ以上の回動（略後方への移動）が規制され、開放された開口２０からはドライブ装置の引出手段がケース１２内に進入し、この引出手段がピン台２４に位置決め保持されたリーダーピン２２を抜き出して図示しない巻取リールに収容する。そして、その巻取リールとリール１４とを同期して回転駆動することにより、磁気テープＴは、巻取リールに巻き取られつつ順次ケース１２から引き出され、所定のテープ経路に沿って配設された記録再生ヘッド等によって情報の記録や再生が行われる。
【００６７】
一方、磁気テープＴがリール１４に巻き戻されて、記録テープカートリッジ１０をドライブ装置から排出する際には、記録テープカートリッジ１０は、位置決め状態が解除され、コイルばね５６の付勢力又は図示しないイジェクト機構によって矢印Ａ方向とは反対方向に移動される。そして、ドア５０は、その凸部５１がガイド壁部４２に案内され、かつ、その外周面が傾斜壁部３４、凸部４４、案内面４８Ａに規制されつつ、コイルばね５６の付勢力によって開口２０の閉塞方向へ回動する。そして、ドア５０の先端部が傾斜壁部３０の凹部３０Ａに入り込むことにより、開口２０が完全に閉塞され、初期状態に復帰する。
【００６８】
ここで、開口２０は、矩形状のケース１２の装填側角部を切り欠いて形成されているため、その開放面が矢印Ａ方向及び矢印Ｂ方向に向いている（開放面が矢印Ａ方向に対して傾斜している）。換言すれば、ドライブ装置の引出手段がケース１２の矢印Ａ方向を向く前面側からリーダーピン２２にアクセスでき、矢印Ｂ側の周壁（側壁）１６Ａ、１８Ａよりも外側（矢印Ｂ側）からアクセスする必要がない。このため、ドライブ装置では、磁気テープＴを引き出すための経路を最短とでき、また、引出手段がケース１２の矢印Ｂ側から回り込むようなドライブメカが不要となり、小型化及び低コスト化が図られる。
【００６９】
また、円弧状に湾曲形成されたドア５０が、その湾曲形状に沿った移動軌跡（リール１４の外周部に略沿うような軌跡）からはみ出すことなく、リール１４及びピン台２４（リーダーピン２２）の外側を回り込むように回動して開口２０を開閉するため、このドア５０は、開口２０の開閉に際して、ケース１２の外形領域からはみ出すことがない。
【００７０】
このため、ドライブ装置内における記録テープカートリッジ１０の収容スペースを小さくでき、ドライブ装置の小型化並びにドライブ装置内でのスペースの有効利用が図れる。そして、ドア５０の移動軌跡がケース１２内のピン台２４（リーダーピン２２）やリール１４と干渉することがなく、かつ、ドア５０を省スペースで構成することができるので、ケース１２内でのスペースの有効利用が図れる。
【００７１】
更に、ドライブ装置の係合突起６０は、単にスリット４０に前方から進入してドア５０の操作突起５２に係合可能に固定配置されていれば足りるので、その構造が簡単で済む。また、ドア５０は、コイルばね５６の付勢力によって開口２０を閉塞するため、ドライブ装置側にはドア５０を開口２０の閉塞方向へ駆動するための機構が不要であり、ドライブ装置の開閉手段（開閉部材）の構造が一層簡素化される。
【００７２】
このように、本実施の形態に係る記録テープカートリッジ１０では、磁気テープＴの引き出し経路を最短とできる構成の開口２０を、記録テープカートリッジ１０のドライブ装置での収容スペースを小型化できるドア５０がリール１４及びリーダーピン２２に干渉することなく開閉でき、かつ、ドア５０を操作して開口２０を開閉する開閉手段（開閉部材）としての係合突起６０を簡単な構造とすることができる。
【００７３】
また、上記の通りドア５０の移動軌跡が円周（曲線状）であるため、ケース１２の角部を大きく切り欠いて大きな開口２０を形成することができる。すなわち、例えば平板状の遮蔽部材で矢印Ａ方向に対して傾斜した開口２０を開閉する場合、開口２０の開放状態で遮蔽部材をケース１２の外形領域内に収容しようとすると、遮蔽部材は直線運動及び回転運動によって姿勢を変えつつ開口２０を開閉する必要があり、その作動領域が大きく、この遮蔽部材の作動領域をリーダーピン２２やリール１４に干渉させないために、開口２０を小さく（開口２０が形成されるケース１２の角部の切り欠き部分を小さく）せざるを得ないが、本実施の形態に係る記録テープカートリッジ１０では、上記の通り所定の円周上をはみ出すことなく回動して開口２０を開閉するドア５０を備えることで、開口２０の大型化を図ることができる。
【００７４】
特に、矢印Ａ方向に対して開放面が傾斜した開口２０を開閉するためのドア５０の回動中心は、リール１４の軸心位置に対して独立して決めることができるため、開口２０の開放面の矢印Ａ方向に対する傾斜角や開口２０の大きさ（前後の縁部を結ぶ距離）等を任意に設定でき、ドライブ装置等の要求に応じた任意の寸法形状の開口２０を開閉するドア５０を得ることができる。すなわち、ドア５０を備えた構成では、開口２０（記録テープカートリッジ１０）の設計の自由度が向上する。
【００７５】
また、上記したように、磁気テープＴを引き出すための経路を最短にすると、磁気テープＴのパス経路も必然的に短くなるので、磁気テープＴとテープガイド（例えば、回転可能に支持されたローラー等）との接触摩耗を低減することができる。更に、開口２０はケース１２の角部を切り欠いて形成され、矢印Ａ方向及び矢印Ｂ方向を向き、引出手段（フック等）のリーダーピン２２へのアクセス方向の範囲が広がるため、ケース１２内におけるリーダーピン２２の設置可能位置が広がる。そして、ドア５０は、上記の通り、その動作軌跡がリーダーピン２２の現実的な設置可能位置とは干渉しないため、ドライブ装置の設計の自由度が向上する。
【００７６】
更にまた、ドア５０は、ケース１２から引き出されるリーダーピン２２とは別部材であるため、組付状態でケース１２からの取り外し不能な構成となっている。すなわち、ドア５０は、記録テープカートリッジ１０を落下させた場合の衝撃等によってケース１２から外れることがない。一方、リーダーピン２２は、磁気テープＴの非使用時にはドア５０によって開口２０が閉塞された密閉状態のケース１２内に収納されており、キズや汚れが付き難い。このため、ドライブ装置内での磁気テープＴの引き出しや走行に影響を与えず、磁気テープＴ自体を損傷することもない。
【００７７】
また、ドア５０は平面視略楕円形状の凸部５１が、ケース１２内面に、互いに対向するガイド面が平行となるように設けられたガイド壁部４２間に支持された状態で摺動して開口２０を開閉するので、従来のようにケース１２内面に溝等を設ける必要がない。したがって、ケース１２の剛性を損なうことがない。更に、この凸部５１は平面視略楕円形状に形成されているので、落下等によりドア５０の開閉方向以外から力を受けても、折れるような心配がない。
【００７８】
また、この凸部５１を含むドア５０の高さは、開口２０を閉塞する部分より後側が、その開口閉塞部分よりも若干低くなるように形成されているので（最前の凸部５１より、後側の凸部５１の方が、ドア５０の板幅の違いを除いて、若干低く形成されているので）、その分、ガイド壁部４２に対する凸部５１の接触面積を低減させることができる。したがって、ガイド壁部４２との摺動抵抗（摩擦）をより一層低減させることができる。
【００７９】
また、この凸部５１の上面及び下面は断面視（側面視）略円弧状に形成され、かつ、その両側面には、先端が平面視略円弧状あるいは平面視略三角形状に形成された小突起５１Ａが設けられているので、ケース１２の内面やガイド壁部４２のガイド面と接触する部位は線接触となり、凸部５１が平面視略楕円形状に形成されていても、その接触面積を低減することができる。したがって、ドア５０を好適に摺動させることができ、開口２０をスムーズに開閉することができる。
【００８０】
【発明の効果】
以上、本発明によれば、ケースのドライブ装置への装填側角部が切り欠かれて開口が設けられているので、その開口の開放面をドライブ装置へ向かせることができ、ドライブ装置側の引出手段をその前方側から進入させることが可能となって、記録テープを引き出す経路を最短にすることができる。したがって、ドライブ装置には記録テープを回り道させるような複雑な機構が不要となり、コンパクトで製造コストの安価なドライブ装置を設計することが可能となる。
【００８１】
また、遮蔽部材は、ケース内面に、互いに対向するガイド面が平行となるように設けられたガイド壁部にガイドされてスライド移動するので、従来のようにケース内面に溝等を設ける必要がなく、よってケース強度を充分に確保することができる。更に、遮蔽部材（凸部）には、ガイド壁部のガイド面に当接して、遮蔽部材（凸部）とガイド面との摩擦を低減させる突起が突設されているので、遮蔽部材は好適に摺動して開口を開閉することができる。
【００８２】
また、遮蔽部材の（凸部を含む）開口閉塞部分以外の高さを、（凸部を含む）開口閉塞部分の高さよりも低く形成したので、遮蔽部材（突起）とガイド壁部（ガイド面）との接触面積をその分低減させることができる。したがって、両者の摺動抵抗（摩擦）をより一層低減することができる。更に、ガイド壁部の開口から露出する部分を含む前半部分の高さを、後半部分の高さよりも低く形成したので、開口に、リーダー部材をチャックして引き出すドライブ装置側の引出手段が入り込めるスペースを確保することができる。
【図面の簡単な説明】
【図１】記録テープカートリッジの概略斜視図
【図２】記録テープカートリッジの概略分解斜視図
【図３】上ケースの概略平面図
【図４】下ケースの概略平面図
【図５】ドアの開口開放状態を示す上方から見た概略斜視図
【図６】開口近傍の様子を示す説明図
【図７】ドアの側面図
【図８】ドアの平面図
【図９】ドアの凸部の形状を示す概略斜視図
【図１０】ドアの凸部の形状を示す概略断面図
【図１１】ドアの開口開放過程を示す概略説明図
【図１２】従来のリーダーピンを備えた磁気テープカートリッジの概略斜視図
【図１３】従来のリーダーテープを備えた磁気テープカートリッジの概略斜視図
【図１４】従来のリーダーブロックを備えた磁気テープカートリッジの概略平面図
【符号の説明】
１０    記録テープカートリッジ
１２    ケース
１４    リール
１６    上ケース
１８    下ケース
２０    開口
２２    リーダーピン
４０    スリット
４２    ガイド壁部
５０    ドア（遮蔽部材）
５１    凸部（摩擦低減手段）
５１Ａ  突起（摩擦低減手段）
【図１】
0004012020.tif 000002
【図２】
0004012020.tif 000003
【図３】
0004012020.tif 000004
【図４】
0004012020.tif 000005
【図５】
0004012020.tif 000006
【図６】
0004012020.tif 000007
【図７】
0004012020.tif 000008
【図８】
0004012020.tif 000009
【図９】
0004012020.tif 000010
【図１０】
0004012020.tif 000011
【図１１】
0004012020.tif 000012
【図１２】
0004012020.tif 000013
【図１３】
0004012020.tif 000014
【図１４】
0004012020.tif 000015